(57)【要約】【課題】スクリーンの張設状態においてスクリーンに外力が作用しても該スクリーンが撓むのを抑止でき、スクリーンの開放状態において建物開口部を出入りする者の歩行の障害とならない横引き式スクリーン装置を提供する。【解決手段】スクリーン枠２における縦枠部材１０，１２の下端間に、張設状態にあるスクリーン４に接する振れ止め壁１６を起倒自在に設ける。スクリーン４を張設／開放する可動框６の動きに連動して振れ止め壁１６を起立／倒伏させる起倒手段を設ける。【選択図】　　　　図１
2004092323.tif 000002
【特許請求の範囲】
【請求項１】
スクリーンの一端を建物開口部に設置するスクリーン枠の縦枠部材に固定するとともに、該スクリーンの他端をスクリーン枠にガイドさせた開閉操作用の可動框に連結して、該可動框の移動によりスクリーンを横引き式に開閉自在としたスクリーン装置において、
上記スクリーン枠における一対の縦枠部材の下端間に、張設状態にあるスクリーンの少なくとも一面側に接する振れ止め壁を起倒自在に設け、上記スクリーンを張設する可動框の動きに連動して上記振れ止め壁を起立させ、上記スクリーンの開放の動きに連動して上記振れ止め壁を倒伏させる起倒手段を設けた、
ことを特徴とする横引き式スクリーン装置。
【請求項２】
上記起倒手段を、スクリーンの張設時における可動框の縦枠部材への衝当により、倒伏状態の下部の振れ止め壁を起立させ、スクリーンの開放時における可動框の上記縦枠部材からの離間により、上記振れ止め壁を倒伏させるものとして、その起倒手段をスクリーンの張設時に可動框が衝当するスクリーン枠における縦枠部材に設けた、
ことを特徴とする請求項１に記載の横引き式スクリーン装置。
【請求項３】
振れ止め壁の起立状態をスプリングの付勢力によって保持させた、
ことを特徴とする請求項１または２に記載の横引き式スクリーン装置。
【請求項４】
上記起倒手段が、振れ止め壁の長手方向の一端から縦枠部材内に延設した係止部；該係止部に係止して振れ止め壁を起立する方向に付勢する起立用ばね部材；振れ止め壁または上記係止部に衝当して該振れ止め壁を起倒させる起倒部材；該起倒部材を振れ止め壁または係止部に衝当させて該振れ止め壁を倒伏する方向に付勢する倒伏用ばね部材；上記起倒部材に付設され、可動框の下端に突設した突部の衝当により起倒部材を倒伏用ばね部材の付勢力に抗して振れ止め壁が起立する方向に後退させる起倒操作部；を備え、
上記倒伏用ばね部材の付勢力を、起立用ばね部材の付勢力より大とした、
ことを特徴とする請求項２に記載の横引き式スクリーン装置。
【請求項５】
スクリーンを、交互に逆方向に折り返した伸縮自在のアコーディオン状のスクリーンで構成した、
ことを特徴とする請求項１乃至４に記載の横引き式スクリーン装置。
【請求項６】
スクリーンを、スクリーン枠又は開閉操作用の可動框内に内蔵した巻取軸に巻き付けたスクリーンで構成した、
ことを特徴とする請求項１乃至４に記載の横引き式スクリーン装置。
【発明の詳細な説明】
【０００１】
【発明の属する技術分野】
本発明は、交互に逆方向に折り返した伸縮自在のアコーディオン状のスクリーン、あるいはスクリーン枠又は開閉操作用の可動框内に内蔵した巻取軸に巻き付けたスクリーンを、横引きにより開閉自在とした横引き式スクリーン装置に関するものである。
【０００２】
【従来の技術】
交互に逆方向に折り返した伸縮自在のアコーディオン状のスクリーン、あるいはスクリーン枠又は開閉操作用の可動框内に内蔵した巻取軸に巻き付けたスクリーンを、横引きにより開閉自在とした横引き式スクリーン装置においては、スクリーンが風になびいてその下端が撓むのを抑止するため、あるいは、防虫用スクリーンの下端を通じて虫が侵入するのを防止するため、通常、スクリーン枠における下部の横枠部材の長手方向に設けた振れ止め壁において、スクリーンの下端をガイドさせている。
【０００３】
しかしながら、上記従来の横引き式スクリーン装置においては、スクリーン枠における下部の横枠部材が、スクリーンの開放状態においても振れ止め壁が起立した状態で建物開口部下部に固定的に設置された状態となるため、これが建物開口部の外観を著しく損なう場合が考えられ、特に、上記横枠部材が硬質材料で造られている場合には、それが建物開口部を通じて出入りする者の歩行の障害となってしまう虞がある。
【０００４】
【発明が解決しようとする課題】
如上に鑑みて、本発明の技術的課題は、スクリーンの張設状態においては、スクリーンに風等の外力が作用しても該スクリーンが撓むのを抑止することができ、また、スクリーンの開放状態においては、建物開口部を出入りする者の歩行の障害とならないようにした横引き式スクリーン装置を提供することにある。
【０００５】
【課題を解決するための手段】
上記課題を解決するための本発明は、スクリーンの一端を建物開口部に設置するスクリーン枠の縦枠部材に固定するとともに、該スクリーンの他端をスクリーン枠にガイドさせた開閉操作用の可動框に連結して、該可動框の移動によりスクリーンを横引き式に開閉自在としたスクリーン装置において、上記スクリーン枠における一対の縦枠部材の下端間、張設状態にあるスクリーンの少なくとも一面側に接する振れ止め壁を起倒自在に設け、上記スクリーンを張設する可動框の動きに連動して上記振れ止め壁を起立させ、上記スクリーンの開放の動きに連動して上記振れ止め壁を倒伏させる起倒手段を設けたことを特徴とするものである。
【０００６】
上記横引き式スクリーン装置においては、起倒手段を、スクリーンの張設時における可動框の縦枠部材への衝当により、倒伏状態の下部の振れ止め壁を起立させ、スクリーンの開放時における可動框の上記縦枠部材からの離間により、上記振れ止め壁を倒伏させるものとして、その起倒手段をスクリーンの張設時に可動框が衝当するスクリーン枠における縦枠部材に設けることができ、この場合、上記振れ止め壁の起立状態はスプリングの付勢力によって保持させるのが望ましく、具体的には、上記起倒手段は、振れ止め壁の長手方向の一端から縦枠部材内に延設した係止部；該係止部に係止して振れ止め壁を起立する方向に付勢する起立用ばね部材；振れ止め壁または上記係止部に衝当して該振れ止め壁を起倒させる起倒部材；該起倒部材を振れ止め壁または係止部に衝当させて該振れ止め壁を倒伏する方向に付勢する倒伏用ばね部材；上記起倒部材に付設され、可動框の下端に突設した突部の衝当により起倒部材を倒伏用ばね部材の付勢力に抗して振れ止め壁が起立する方向に後退させる起倒操作部；を備え、上記倒伏用ばね部材の付勢力を、起立用ばね部材の付勢力より大としたものとして構成される。
【０００７】
さらに、上記スクリーンは、交互に逆方向に折り返した伸縮自在のアコーディオン状のスクリーン、あるいは、スクリーン枠又は開閉操作用の可動框内に内蔵した巻取軸に巻き付けたスクリーンで構成することができる。
【０００８】
上記構成を有する横引き式スクリーン装置は、上記起倒手段により、スクリーンを張設する可動框の動きに連動して上記振れ止め壁が起立し、上記スクリーンの開放の動きに連動して上記振れ止め壁が倒伏するので、スクリーンの張設状態においては、スクリーンの下端の少なくとも一面側に接して該スクリーンが撓むのを抑止することができ、また、スクリーンの開放状態においては、スクリーン枠を構成する下部の横枠部材等が存在しないので、建物開口部を出入りする者の歩行の障害となることはない。
【０００９】
特に、上記起倒手段を、振れ止め壁の長手方向の一端から縦枠部材内に延設した係止部；係止部に係止して振れ止め壁を起立する方向に付勢する起立用ばね部材；振れ止め壁または上記係止部に衝当して該振れ止め壁を起倒させる起倒部材；起倒部材を振れ止め壁または係止部に衝当させて該振れ止め壁を倒伏する方向に付勢する倒伏用ばね部材；起倒部材に付設され、可動框の下端に突設した突部の衝当により起倒部材を倒伏用ばね部材の付勢力に抗して振れ止め壁が起立する方向に後退させる起倒操作部；を備えたものとして構成し、上記倒伏用ばね部材の付勢力を起立用ばね部材の付勢力より大にすると、例えば、誤って振れ止め壁を足で踏むなどして、該振れ止め壁が倒伏状態のままで、上記スクリーンを張設すべく可動框を縦枠部材に衝当してしまっても、上記起倒手段を構成する係止部と起倒部材とは直接的に繋がっていないため、当該スクリーン装置の開閉操作に支障を来たしたり、破損したりすることはない。また、振れ止め壁が倒伏した状態のときに、無理に該振れ止め壁を手で起立させてしまったとしても、上記係止部が無理なく起倒部材を押すため破損することはない。
【００１０】
【発明の実施の形態】
図１乃至図４は、本発明に係る横引き式スクリーン装置の第１実施例を示しており、このスクリーン装置は、開閉操作用の可動框内に内蔵した巻取軸に巻き付けたスクリーンを横引きにより開閉するように構成したもので、図１に示すように、概略的には、スクリーン枠２と、該スクリーン枠２内に横開きにより開閉自在に取り付けられたスクリーン４と、該スクリーン４を巻き付けた巻取軸８を回転自在に支持する開閉操作用の可動框６とを備えている。
【００１１】
上記スクリーン枠２は、左右の縦枠部材１０，１２、及び上部の横枠部材（図示省略）を相互に連結することにより形成され、これを図示しない建物開口部の取付枠等に螺子あるいは両面接着テープ等の固定手段により設置するもので、上記スクリーン枠２における一方の縦枠部材１０に、可動框６内に回転自在に支持された巻取軸８にスプリング（図示省略）の付勢力で巻取られるスクリーン４の一端を固定することにより、該スクリーン４を上記縦枠部材１０と可動框６との間に横引きにより張設可能としている。
【００１２】
そして、上記スクリーン枠２における一対の縦枠部材１０，１２の下端間には、張設状態にあるスクリーン４の一面側に接する振れ止め壁１６を軸１８により起倒自在に設けており、また、スクリーン４の張設時において可動框６が衝当するところの縦枠部材１２には、上記スクリーン４を張設する可動框６の動きに連動して上記振れ止め壁１６を起立させ、上記スクリーン４の開放の動きに連動して上記振れ止め壁１６を倒伏させる起倒手段を設けている。
【００１３】
さらに詳細に説明すると、上記起倒手段は、スクリーン４の張設時における可動框６の縦枠部材１２への衝当により、倒伏状態の振れ止め壁１６をスプリングの付勢力で起立させ、スクリーン４の開放時における可動框６の上記縦枠部材１２からの離間により、上記振れ止め壁１６を倒伏させるものとして、上記縦枠部材１２内に設けられており、概略的には、係止部２０、起立用ばね部材２２、起倒部材２４、倒伏用ばね部材２６、及び起倒操作部２８を備えている。
【００１４】
上記係止部２０は、振れ止め壁１６の軸１８の一端から延設したもので、それを上記縦枠部材１２内において上記係止部２０に起立用ばね部材２２を係止させることにより、上記振れ止め壁１６を起立する方向に付勢している。
【００１５】
上記起倒部材２４は、スクリーン４の開閉操作時における可動框６の動きに連動して、上記係止部２０に衝当／離間することにより振れ止め壁１６を起倒させるためのもので、その周囲には倒伏用ばね部材２６を遊嵌しており、該倒伏用ばね部材２６は、後述する起倒操作部２８のベース部２８ａとスライド部２８ｂとの間において、上記起倒部材２４の先端を係止部２０に衝当させて該係止部２０を倒伏する方向に付勢した状態で縮設されている。上記起倒部材２４の先端は振れ止め壁１６自体に衝当させることもできる。
【００１６】
上記起倒操作部２８は、縦枠部材１２内に固定したベース部２８ａ上に、上記可動框６の下端に突設した突部６ａの衝当／離間により、上記起倒部材２４を振れ止め壁１６の起立位置と倒伏位置とに進退させるスライド部２８ｂを設けることにより構成したもので、上記ベース部２８ａとスライド部２８ｂとの間には、上記起倒部材２４の周囲に遊嵌して、且つ該起倒部材２４を振れ止め壁１６に衝当する方向に付勢した状態で、上記倒伏用ばね部材２６を縮設している。
【００１７】
なお、上記スクリーン４を開放した状態において、振れ止め壁１６が建物開口部を出入りする者の歩行の障害とならない倒伏状態を保持するため、上記倒伏用ばね部材２６の付勢力は、起立用ばね部材２２の付勢力より大としている。
【００１８】
上記構成を有する横引き式スクリーン装置は、上記スクリーン４が開放状態にあるときには、図１及び図２に示すように、上記起倒手段における起倒部材２４が倒伏用ばね部材２６の付勢力により係止部２０に衝当するので、振れ止め壁１６は倒伏することになる。このとき、倒伏用ばね部材２６の付勢力は、振れ止め壁１６を起立させる方向に付勢する起立用ばね部材２２の付勢力よりも大きいため、上記振れ止め壁１６が起立することはない。
一方、上記スクリーン４が張設状態にあるときは、図３及び図４に示すように、上記可動框６の突部６ａが上記起倒手段における起倒操作部２８のスライド部２８ｂに衝当し、上記起倒部材２４を倒伏用ばね部材２６の付勢力に抗して後退させ上記係止部２０から離間させるので、振れ止め壁１６は起立用ばね部材２２の付勢力により、スクリーン４の一面側に接するように起立することになる。
【００１９】
したがって、上記スクリーン４の張設状態においては、起立した振れ止め壁１６がスクリーン４の下端の一面側に接してそこから脱離するのを抑止することができ、また、スクリーン４の開放状態においては、建物開口部の外観を損なうような横枠部材が存在せず、そのため建物開口部を出入りする者の歩行の障害となることはない。
そのうえ、上記起倒手段は、上述したように構造が非常に簡易であるため、それを設けるスクリーン枠２における縦枠部材の幅や厚みが大きくなることはなく、本発明の課題を達成するための構造を簡易に且つ安価に製造することが可能である。
【００２０】
さらに、上記起倒手段を構成する係止部２０と起倒部材２４とは直接的に繋がっていないため、例えば、誤って振れ止め壁１６を足で踏むなどして該振れ止め壁１６が倒伏状態のままで、上記スクリーン４を張設すべく可動框６を縦枠部材１２に衝当してしまった場合においても、当該スクリーン装置の開閉操作に支障を来たしたり、破損したりすることはなく、また、振れ止め壁１６が倒伏した状態のときに、無理に該振れ止め壁１６を手で起立させてしまったとしても、上記係止部２９が無理なく起倒部材２４を押すため、それらが破損することはない。
【００２１】
ここで、上述した第１実施例では、張設状態にあるスクリーン４の一面側のみに接するように、上記振れ止め壁１６を下部の本来の横枠部材の設置位置における長手方向の一側に設けた構成としているが、それに限定されず、スクリーン４の両面に接するように、下部の横枠部材の設置位置における長手方向両側に上記振れ止め壁を起倒自在に設けることができる。
また、第１実施例においては、スクリーン４を巻き付けた巻取軸８を開閉操作用の可動框６内に内蔵した場合について記載したが、それに限定されず、上記巻取軸をスクリーン枠の縦枠部材内に内蔵した横引き式スクリーン装置にも適用することができる。また、巻取軸に巻き付けたスクリーンを開閉するものに限らず、交互に折り返した伸縮自在のアコーディオン状のスクリーンを横引きにより開閉自在とした横引き式スクリーン装置に適用することもできる。
【００２２】
図５及び図６は、本発明の第２実施例を示しており、このスクリーン装置は、交互に逆方向に折り返した伸縮自在のアコーディオン状のスクリーンを横引きにより開閉するように構成したもので、図５に示すように、概略的には、スクリーン枠３２と、該スクリーン枠３２内に横開きにより開閉自在に取り付けられたスクリーン３４と、該スクリーン３４の一端に取り付けられた開閉操作用の可動框３６とを備えており、該可動框３６の下端には突部３６ａが突設されている。
【００２３】
上記スクリーン枠３２は、左右の縦枠部材４０，４２、及び上部の横枠部材（図示省略）を相互に連結することにより形成されており、上記スクリーン枠３２における一方の縦枠部材４０に、一端に開閉操作用の可動框３６を取り付けたスクリーン３４の他端を固定することにより、該スクリーン３４を上記縦枠部材４０と可動框３６との間に横引きにより張設可能としている。
【００２４】
そして、上記スクリーン枠３２における一対の縦枠部材４０，４２の下端間には、張設状態にあるスクリーン３４の両面に接する一対の振れ止め壁４６，４６を軸４８，４８により起倒自在に設けており、また、スクリーン３４の張設時において可動框３６が衝当するところの縦枠部材４２には、上記スクリーン３４を張設する可動框３６の動きに連動して上記振れ止め壁４６，４６をそれぞれ起立させ、上記スクリーン３４の開放の動きに連動して上記振れ止め壁４６，４６をそれぞれ倒伏させる一対の起倒手段を設けている。
なお、上記起倒手段の構造は、前記第１実施例における起倒手段と同様であるため、同一部分又は相当部分に同一符号を付して、それらの説明を省略する。
【００２５】
上記構成を有する横引き式スクリーン装置は、上記スクリーン３４の張設状態において、上記可動框３６の突部３６ａが上記起倒手段における起倒操作部２８，２８のスライド部２８ｂ，２８ｂに衝当し、上記起倒部材２４，２４を倒伏用ばね部材２６，２６の付勢力に抗して後退させ、係止部２０，２０からそれぞれ離間させるので、上記振れ止め壁４６，４６は起立用ばね部材２２の付勢力により、スクリーン３４の両面に接するようにそれぞれ起立することになる。
【００２６】
ここで、上述した第２実施例におけるその他の構成及び作用は、実質的に前記第１実施例と同一であるから、それらの説明を省略する。
【００２７】
【発明の効果】
以上に詳述した本発明の横引き式スクリーン装置によれば、スクリーンの張設状態においては、スクリーンの下端の少なくとも一面側に接してスクリーンが撓むのを抑止することができ、また、スクリーンの開放状態においては、建物開口部を出入りする者の歩行の障害とならないようにした横引き式スクリーン装置を提供することができる。
【図面の簡単な説明】
【図１】本発明の第１実施例の横引き式スクリーン装置における振れ止め壁が倒伏した状態の部分破断平面図である。
【図２】同側断面図である。
【図３】本発明の第１実施例の横引き式スクリーン装置における振れ止め壁が起立した状態の部分破断平面図である。
【図４】同側断面図である。
【図５】本発明の第２実施例の横引き式スクリーン装置における振れ止め壁が倒伏した状態の部分破断平面図である。
【図６】同側断面図である。
【符号の説明】
２，３２　　スクリーン枠
４，３４　　スクリーン
６，３６　　可動框
１０，１２，４０，４２　　縦枠部材
１６，４６　　振れ止め壁
２０　　係止部
２２　　起立用ばね部材
２４　　起倒部材
２６　　倒伏用ばね部材
２８　　起倒操作部
【図１】
2004092323.tif 000003
【図２】
2004092323.tif 000004
【図３】
2004092323.tif 000005
【図４】
2004092323.tif 000006
【図５】
2004092323.tif 000007
【図６】
2004092323.tif 000008